(57)【要約】【課題】設置場所の自由度の向上を図る。【解決手段】リターン装置１は、Ｔバー３が有する支持片３２に支持される被支持部１１と、システム天井２を構成する天井パネル４の周縁部４０が載置される載置部１２とを備える。リターン装置１は、被支持部１１及び載置部１２を支持する本体部１０を備える。本体部１０は、本体部１０において室内Ｓ１に露出する部位に開口する流入口１００と、本体部１０において天井裏Ｓ２に露出する部位に開口する流出口１０１と、流入口１００と流出口１０１を繋ぐ流路１０２とを有する。【選択図】        図１０
2019070459.tif 000002
【特許請求の範囲】
【請求項１】
システム天井を構成するＴバーに取り付けられ、室内の空気を天井裏へ導くリターン装置であって、
前記Ｔバーが有する支持片に支持される被支持部と、
前記システム天井を構成する天井パネルの縁が載置される載置部と、
前記被支持部及び前記載置部を支持する本体部と
を備え、
前記本体部は、
前記本体部において前記室内に露出する部位に開口する流入口と、
前記本体部において前記天井裏に露出する部位に開口する流出口と、
前記流入口と前記流出口を繋ぐ流路と
を有する
ことを特徴とするリターン装置。
【請求項２】
前記システム天井を構成するＴバーに係合する係合部を備える
ことを特徴とする請求項１記載のリターン装置。
【請求項３】
前記本体部は、
前記流路を挟んで対向する一対の側板と、
前記流路を挟んで前記流入口と対向する天板と
を有する
ことを特徴とする請求項１又は２記載のリターン装置。
【請求項４】
前記本体部は、
前記一対の側板に相当する一対の第１側板と、
前記流路を挟んで対向する一対の第２側板とを有し、
前記一対の第２側板は、前記一対の第１側板が対向する方向と交差する方向に沿って対向する
ことを特徴とする請求項３記載のリターン装置。
【請求項５】
前記本体部は、前記流出口を前記Ｔバーよりも上に配置させている
ことを特徴とする請求項１〜４のいずれか１項に記載のリターン装置。
【請求項６】
前記流出口の開口面積が前記流入口の開口面積以上である
ことを特徴とする請求項１〜５のいずれか１項に記載のリターン装置。
【請求項７】
前記載置部は、前記天井パネルの厚み方向に沿って前記天井パネルの縁の下面に接触し、前記天井パネルの厚み方向において前記載置部が前記天井パネルの縁の下面に接触する位置は、前記天井パネルの厚み方向において前記被支持部が前記Ｔバーの支持片に接触する位置に等しい
ことを特徴とする請求項１〜６のいずれか１項に記載のリターン装置。
【請求項８】
複数のＴバーと、
前記複数のＴバーに支持される複数の天井パネルと、
請求項１〜７のいずれか１項に記載のリターン装置と
を有する
ことを特徴とするシステム天井。
【請求項９】
システム天井を構成する複数のＴバーに支持される照明器具と、
請求項１〜７のいずれか１項に記載のリターン装置と
を有する
ことを特徴とする照明システム。
【発明の詳細な説明】
【技術分野】
【０００１】
本発明は、リターン装置、システム天井並びに照明システムに関する。より詳細には、本発明は、システム天井において室内の空気を天井裏に導くためのリターン装置に関する。また、本発明は、前記リターン装置を有するシステム天井に関する。さらに、本発明は、前記リターン装置及びシステム天井用の照明器具を有する照明システムに関する。
【背景技術】
【０００２】
従来、オフィスビルの事務室や商業ビルの店舗などの天井は、システム天井と呼ばれるつり天井で構成されている場合が多い。システム天井とは、単位天井を組み合わせたつり天井で、天井パネルを載せ掛け、照明器具、空調吹出し口などの設備の取付けが容易にできる機能を有する天井である（日本工業規格  Ａ１４４５「システム天井構成部材の試験方法」参照）。
【０００３】
特許文献１には、システム天井に設置される照明装置（照明器具）が記載されている。特許文献１記載の照明装置は、対向する２組の枠板で囲まれ、かつ、上下方向に開口した収容枠、収容枠内に収容される２つの光源部、一方の光源部の上側に取り付けられた電源部、室内の空気を天井裏へ導くための流入口である空調リターンなどを備える。空調リターンは、収容枠の下面の開口部のうち、２つの光源部で塞がれていない開口部によって構成されている。
【先行技術文献】
【特許文献】
【０００４】
【特許文献１】特開２０１４−８６３５６号公報
【発明の概要】
【発明が解決しようとする課題】
【０００５】
上述のように従来のシステム天井においては、室内の空気を天井裏に導くための流入口（空調リターン）が照明器具（照明装置）と一体不可分に設けられているので、流入口の設置場所が照明器具の設置場所に限定されてしまうという問題があった。
【０００６】
本発明の目的は、設置場所の自由度の向上を図ることが可能なリターン装置、システム天井並びに照明システムを提供することである。
【課題を解決するための手段】
【０００７】
本発明の一態様に係るリターン装置は、システム天井を構成するＴバーに取り付けられ、室内の空気を天井裏へ導く。前記リターン装置は、前記Ｔバーが有する支持片に支持される被支持部と、前記システム天井を構成する天井パネルの縁が載置される載置部と、前記被支持部及び前記載置部を支持する本体部とを備える。前記本体部は、前記本体部において前記室内に露出する部位に開口する流入口と、前記本体部において前記天井裏に露出する部位に開口する流出口と、前記流入口と前記流出口を繋ぐ流路とを有する。
【０００８】
本発明の一態様に係るシステム天井は、複数のＴバーと、前記複数のＴバーに支持される複数の天井パネルと、前記リターン装置とを有する。
【０００９】
本発明の一態様に係る照明システムは、システム天井を構成する複数のＴバーに支持される照明器具と、前記リターン装置とを有する。
【発明の効果】
【００１０】
本発明のリターン装置、システム天井並びに照明システムは、設置場所の自由度の向上を図ることが可能になるという効果がある。
【図面の簡単な説明】
【００１１】
【図１】図１は、本発明の一態様に係るシステム天井の一部省略した断面斜視図である。
【図２】図２は、同上のシステム天井の下面図である。
【図３】図３は、本発明の一態様に係るリターン装置の斜視図である。
【図４】図４は、同上のリターン装置の左側面図である。
【図５】図５は、同上のリターン装置の一部破断した前面図である。
【図６】図６は、同上のリターン装置の一部破断した下面図である。
【図７】図７は、同上のリターン装置の分解斜視図である。
【図８】図８は、同上のリターン装置がシステム天井に設置された状態の左側面図である。
【図９】図９は、同上のリターン装置がシステム天井に設置された状態の前方から見た一部省略した断面図である。
【図１０】図１０は、同上のリターン装置がシステム天井に設置された状態の一部省略した左側面断面図である。
【図１１】図１１は、本発明の一態様に係る照明システムの下面図である。
【図１２】図１２Ａ〜図１２Ｉの各々は、同上のシステム天井におけるリターン装置の配置を説明するための説明図である。
【図１３】図１３Ａ〜図１３Ｅの各々は、同上のシステム天井におけるリターン装置の配置を説明するための説明図である。
【発明を実施するための形態】
【００１２】
以下、本発明の一態様に係るリターン装置、システム天井並びに照明システムについて、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１３】
本実施形態のシステム天井２は、図１及び図２に示すように、複数のＴバー３と、複数のＴバー３に支持される複数の天井パネル４と、本実施形態のリターン装置１とを有する。
【００１４】
複数のＴバー３は、一定の間隔Ｄ１を空けて互いに平行に配置される複数のメインＴバー３Ａと、複数のメインＴバー３Ａと交差する（クロスする）ように一定の間隔Ｄ１を空けて互いに平行に配置される複数のクロスＴバー３Ｂとを含んでいる。２種類のＴバー３（メインＴバー３Ａ及びクロスＴバー３Ｂ）の長手方向の寸法を除いた基本構造は共通である。すなわち、Ｔバー３は、長尺の平板状に形成されている縦片３０と、縦片３０の短手方向の一端（上端）に設けられた接合部３１と、縦片３０の短手方向の他端（下端）に設けられた一対の支持片３２とを有している。
【００１５】
接合部３１は、長手方向の両端が開放されている中空の四角柱状に形成されている。接合部３１は、１つの側面（下面）における短手方向の中央において縦片３０の上端と繋がっている。なお、接合部３１の下面は、短手方向の両端から短手方向の中央に向かって上向きに傾斜する一対の傾斜面を有している（図８参照）。
【００１６】
一対の支持片３２の各々は、長手方向の両端が解放された角樋状に形成されている。各支持片３２は、縦片３０の下端から縦片３０の厚み方向に沿って互いに離れる向きに突出している。
【００１７】
Ｔバー３は、建物の天井スラブに埋め込まれた複数のつりボルトの各々に取り付けられた複数のＴハンガによって各つりボルトと接合されている。複数のＴハンガの各々は、複数のつりボルトのうちの対応する１つのつりボルトにねじ締結され、かつ、Ｔバー３の接合部３１を接合部３１の短手方向から挟み込むようにしてＴバー３に取り付けられる。
【００１８】
ここで、複数のメインＴバー３Ａと複数のクロスＴバー３Ｂとが各々等しい間隔Ｄ１で平行に配置されることにより、一辺の長さが間隔Ｄ１に等しい略正方形状の複数の孔が格子状に並ぶように設けられる。
【００１９】
複数の天井パネル４の各々は、例えば、正方形状の石膏ボードで構成されることが好ましい。ただし、天井パネル４は、石膏ボード以外の板材（例えば、木材や金属材など）で構成されても構わない。天井パネル４の４つの側面は、天井パネル４の厚み方向（上下方向）に沿った段差を有している。なお、以下の説明では、天井パネル４の周縁において、天井パネル４の各側面の段差により、天井パネル４の中央部分よりも厚み方向の幅が狭くなった部分を周縁部４０と呼ぶ（図１及び図８参照）。天井パネル４は、格子状に並ぶ孔に挿入され、４辺の縁の周縁部４０を当該孔を囲む４つのＴバー３の支持片３２の上に載せるようにして４つのＴバー３に支持される。つまり、４つのＴバー３に囲まれた孔が天井パネル４によって閉塞される。ただし、後述するように、天井パネル４の代わりに照明器具６や空調の吹き出し口などの設備が４つのＴバー３に支持される場合もある。
【００２０】
リターン装置１は、Ｔバー３に取り付けられて室内の空気を天井裏へ導くように構成されている。以下の説明では、特に断りのない限り、リターン装置１の上下、左右、前後の各方向は、図３に矢印で示す方向と一致している。
【００２１】
リターン装置１は、図３〜図６に示すように、Ｔバー３の支持片３２に支持される被支持部１１と、天井パネル４の周縁部４０が載置される載置部１２と、被支持部１１及び載置部１２を支持する本体部１０とを備えている。また、リターン装置１は、一対の係合部１３を備えている。
【００２２】
本体部１０は、一対の第１側板１４と、天板１５と、一対の第２側板１６とを有している。一対の第１側板１４のうち、前方に位置する第１側板１４を前第１側板１４Ａと呼び、後方に位置する第１側板１４を後第１側板１４Ｂと呼ぶ場合がある。前第１側板１４Ａは、左右方向を長手方向とする長尺の矩形平板状に形成されている。後第１側板１４Ｂは、前第１側板１４Ａと同様に、左右方向を長手方向とする長尺の矩形平板状に形成されている。前第１側板１４Ａと後第１側板１４Ｂは、各々の長手方向（左右方向）の幅が互いに等しく、各々の短手方向（上下方向）の幅が互いに異なっている。具体的には、後第１側板１４Ｂの短手方向の幅が、前第１側板１４Ａの短手方向の幅よりも広い。一対の第１側板１４は、前後方向に沿って平行に配置されている。そして、一対の第１側板１４に挟まれた空間が流路１０２となる。なお、後第１側板１４Ｂの後面における長手方向の両端には、後方へ突出する半球状の突出部１４１がそれぞれ設けられている（図３及び図４参照）。
【００２３】
天板１５は、左右方向を長手方向とする長尺の矩形平板状に形成されている。天板１５の長手方向の幅は、一対の第１側板１４の長手方向の幅に等しい。また、天板１５の短手方向（前後方向）の幅は、一対の第１側板１４の前後方向の間隔よりも広い。天板１５の後端が後第１側板１４Ｂの上端と繋がっている。
【００２４】
一対の第２側板１６の各々は、上下方向を長手方向とする矩形平板状の主部１６０と、主部１６０よりも長手方向（上下方向）の幅が短く、かつ、主部１６０の前端から前方へ突出する突部１６１とを有している。それぞれの主部１６０の長手方向の幅が後第１側板１４Ｂの短手方向の幅に等しい。そして、後第１側板１４Ｂの左端と、一方の第２側板１６の主部１６０の後端とが繋がり、後第１側板１４Ｂの右端と、他方の第２側板１６の主部１６０の後端とが繋がっている。また、前第１側板１４Ａの左端と、一方の第２側板１６の主部１６０の前端における突部１６１より下方の部分とが繋がっている。さらに、前第１側板１４Ａの右端と、他方の第２側板１６の主部１６０の前端における突部１６１より下方の部分とが繋がっている。また、天板１５の左端と、一方の第２側板１６の上端とが繋がり、天板１５の右端と、他方の第２側板１６の上端とが繋がっている。なお、主部１６０には、矩形平板状に形成されて主部１６０の下端から主部１６０の厚み方向（左右方向）に突出する載置片１６４が一体に設けられている（図３、図５並びに図６参照）。
【００２５】
つまり、本体部１０は、下面に流入口１００を有し、かつ、前面における上端部分に流出口１０１を有し、流入口１００と流出口１０１を繋ぐ流路１０２を内部に有する長尺の箱状に形成されている。ここで、本体部１０の流入口１００の短手方向（前後方向）の幅よりも、天板１５の短手方向（前後方向）の幅の方が広く、かつ、流出口１０１が前第１側板１４Ａの上方において後第１側板１４Ｂと平行に開口している。そのため、本体部１０の流出口１０１は、本体部１０の流入口１００の真下から目視されない（図６参照）。
【００２６】
被支持部１１は、長尺の矩形平板状に形成されて後第１側板１４Ｂの下端から後方へ突出している（図３、図４並びに図６参照）。被支持部１１は、後第１側板１４Ｂの下端部分が後第１側板１４Ｂの長手方向全体に亘ってほぼ直角に曲げ起こされるようにして後第１側板１４Ｂと一体に形成されている。
【００２７】
載置部１２は、長尺の矩形平板状に形成されている底壁１２０と、底壁１２０の後端から上向きに突出する後側壁１２１と、底壁１２０の前端から上向きに突出する前側壁１２２とを有している（図３及び図４参照）。また、後側壁１２１の上端と、前第１側板１４Ａの下端とが繋がっている。つまり、載置部１２は、本体部１０の前面における下端部分から下方及び前方に突出するように本体部１０と一体に設けられている（図３及び図４参照）。
【００２８】
係合部１３は、前第１側板１４Ａの上端から前方へ突出する突片１４０の長手方向（左右方向）の両端にそれぞれ１つずつ設けられている。各係合部１３は、第１片１３１と第２片１３２を有して鈎形に形成されている。第１片１３１は、矩形平板状に形成されている。第１片１３１は、突片１４０の長手方向の端から突片１４０の長手方向に突出している。第２片１３２は、矩形平板状に形成されている。第２片１３２は、第１片１３１の長手方向（左右方向）の端から下向きに突出している。第２片１３２の先端部分に爪１３３が設けられている。爪１３３は、第２片１３２から前第１側板１４Ａに近付く向きに切り起こされている（図３〜図５参照）。
【００２９】
ところで、リターン装置１は、図７に示すように、２つの部材（第１部材１Ａと第２部材１Ｂ）が結合されて構成されている。第１部材１Ａは、前第１側板１４Ａと、載置部１２と、一対の係合部１３と、一対の結合片１７とを有している。第１部材１Ａが有する前第１側板１４Ａ、載置部１２、一対の係合部１３並びに結合片１７は、亜鉛めっき鋼板、ステンレス鋼板などの金属板によって一体に形成されている。
【００３０】
一対の結合片１７は、それぞれ矩形平板状に形成されて前第１側板１４Ａの長手方向の両端から１つずつ後方へ突出している。各結合片１７の前方下部に第１孔１７１が貫通し、各結合片１７の後方上部に第２孔１７２が貫通している。第１孔１７１及び第２孔１７２はそれぞれ、長手方向を上下方向とする角孔状に形成されている。
【００３１】
第２部材１Ｂは、後第１側板１４Ｂと、天板１５と、一対の第２側板１６とを有している。第２部材１Ｂが有する後第１側板１４Ｂ、天板１５並びに一対の第２側板１６は、第１部材１Ａと同じ材料（亜鉛めっき鋼板、ステンレス鋼板などの金属板）によって一体に形成されている。ここで、各第２側板１６の前方下部から第１突起１６２が突出し、各第２側板１６の後方上部から第２突起１６３が突出している。第１突起１６２は、第２側板１６の長手方向（上下方向）を軸方向とする半円筒形状に形成されている。第２突起１６３は、球体を４等分したうちの１つの立体形状に形成されている。なお、第２突起１６３は、球面を前方に向けるように形成されている。
【００３２】
第１部材１Ａの一対の結合片１７の各々が第２部材１Ｂの一対の第２側板１６のうちの対応する第２側板１６と重ねられる。そして、第１突起１６２が第１孔１７１とかん合し、第２突起１６３が第２孔１７２とかん合することにより、第１部材１Ａと第２部材１Ｂとが結合されてリターン装置１が組み立てられる（図３及び図４参照）。
【００３３】
リターン装置１は、図１、図８並びに図９に示すように、３つのＴバー３（例えば、２つのメインＴバー３Ａと１つのクロスＴバー３Ｂ）に取り付けられる。１つのクロスＴバー３Ｂの支持片３２の上にリターン装置１の被支持部１１が載せられて支持されている（図８参照）。また、２つのメインＴバー３Ａの各々の接合部３１に、一対の係合部１３のうちの対応する係合部１３が１つずつ係合している（図１及び図９参照）。各係合部１３の爪１３３は、上下方向においてＴバー３の接合部３１の下面に引っ掛かり得るように形成されている。そのため、爪１３３が接合部３１の下面に引っ掛かる位置でリターン装置１の上向きの移動範囲が規制されている。さらに、一対の第２側板１６の各々の載置片１６４が、２つのメインＴバー３Ａのうちの対応する１つのメインＴバー３Ａの支持片３２に載置されている（図９参照）。なお、後第１側板１４Ｂに設けられている一対の突出部１４１が、被支持部１１が支持される支持片３２を有しているクロスＴバー３Ｂの接合部３１と対向している（図８参照）。したがって、リターン装置１の後第１側板１４ＢとクロスＴバー３Ｂとの距離が、後第１側板１４Ｂの後面から突出する突出部１４１の突出高さ未満に狭まることはない。また、突出部１４１が接合部３１に当たることによって、リターン装置１の倒れ込みも抑えられている。
【００３４】
Ｔバー３に取り付けられたリターン装置１の載置部１２（詳しくは、前側壁１２２の上端）に天井パネル４の周縁部４０が載置されて支持されている（図８参照）。ただし、リターン装置１に支持される天井パネル４（４Ｘ）は正方形ではなく、リターン装置１と対向する方向の幅がＴバー３の間隔Ｄ１よりも狭い直角四辺形（長方形）に形成されている。
【００３５】
リターン装置１は、図１０に破線の矢印で示すように、室内Ｓ１の空気を本体部１０の流入口１００から取り込み、本体部１０内の流路１０２を通して本体部１０の流出口１０１から天井裏Ｓ２に導くことができる。しかも、リターン装置１は、天井に設置されている複数のＴバー３のうちの任意のＴバー３に取り付けることができるので、設置場所の自由度の向上を図ることが可能となる。なお、従来のシステム天井において、２つのＴバーが天井パネルの幅寸法よりも十分に狭い間隔を空けて並設されることにより、当該２つのＴバーの間に生じる隙間を流入口とする場合があった。しかしながら、２つのＴバーの間に生じる隙間を流入口とする場合、レイアウト変更等に伴って流入口の設置場所を移動させるにはＴバー３を移動しなければならず、流入口の設置場所の移動が困難であった。これに対して、リターン装置１は、天井パネル４や空調吹出し口などの設備を支持するためのＴバー３に取り付けられるので、レイアウト変更等に伴う設置場所の移動にも容易に対応することができる。
【００３６】
ところで、リターン装置１は、少なくともＴバー３の支持片３２に支持される被支持部１１と、天井パネル４の縁が載置される載置部１２と、被支持部１１と載置部１２を支持する本体部１０を備えていれば、係合部１３を備えていなくてもよい。ただし、リターン装置１は、係合部１３を備えることによってＴバー３に対する取付強度の向上を図ることができる。
【００３７】
また、本体部１０は、流入口１００と流路１０２と流出口１０１を有していれば、必ずしも一対の第１側板１４、天板１５並びに一対の第２側板１６を有していなくても構わない。ただし、リターン装置１は、本体部１０が一対の第１側板１４と天板１５を有することにより、流入口１００の真上に天板１５が配置されて流入口１００の下から流出口１０１が目視されないように構成される。したがって、リターン装置１は、室内Ｓ１から本体部１０の流入口１００及び流出口１０１を通して天井裏Ｓ２を目視され難くすることができる。さらに、リターン装置１は、本体部１０が一対の第２側板１６を有することにより、室内Ｓ１から本体部１０の流入口１００及び流出口１０１を通して天井裏Ｓ２を更に目視され難くすることができる。
【００３８】
ここで、本体部１０において、被支持部１１から流出口１０１の下端（前第１側板１４Ａの突片１４０）までの上下方向に沿った距離が、Ｔバー３における支持片３２の上面から接合部３１の上面までの距離よりも長くなっている。つまり、本体部１０は、流出口１０１をＴバー３よりも上に配置させている（図１０参照）。ゆえに、リターン装置１は、流出口１０１がＴバー３よりも上に配置されることによって、流入口１００及び流出口１０１を通して天井裏Ｓ２を更に目視され難くすることができる。
【００３９】
また、リターン装置１において、本体部１０の流出口１０１の短手方向の幅が流入口１００の短手方向の幅以上であるので、流出口１０１の開口面積が流入口１００の開口面積以上となる。したがって、リターン装置１は、流出口１０１の開口面積が流入口１００の開口面積未満である場合と比較して、流入口１００から流出口１０１に向かう流路１０２の抵抗を減らして室内Ｓ１の空気をスムーズに天井裏Ｓ２に排気させることができる。
【００４０】
さらに、リターン装置１は、天井パネル４の厚み方向において載置部１２が天井パネル４の周縁部４０と接触する位置を、天井パネル４の厚み方向において被支持部１１がＴバー３の支持片３２に接触する位置と等しくなるように構成されている。具体的には、本体部１０の被支持部１１の下面と、載置部１２の前側壁１２２の上端と、第２側板１６の載置片１６４の下面とが概ね同一の仮想平面上に位置するように本体部１０が構成されている。したがって、リターン装置１は、本体部１０を介してＴバー３の支持片３２に支持される天井パネル４のがたつきを抑えることができる。
【００４１】
ところで、オフィスビルの事務室などに設置されるＴバー３及び天井パネル４の表面（下面）の色は白色である場合が多い。天井パネル４の表面の色が白色である場合、リターン装置１は、少なくとも本体部１０の内側面及び載置部１２の表面の色（以下、リターン装置１の色と略称する。）が白色又は黒色であることが好ましい。リターン装置１の色が白色の場合、リターン装置１の色と天井パネル４の色が同色となり、リターン装置１が目立ち難い。しかしながら、リターン装置１の色が白色の場合、流路１０２を通過する空気に含まれた塵埃などが本体部１０の内側面に付着して本体部１０の内側面が汚れると、本体部１０の内側面の汚れが目立ち易い。一方、リターン装置１の色が黒色の場合、本体部１０の内側面の汚れは目立ち難いが、天井パネル４との色の違いによってリターン装置１が目立ち易い。また、リターン装置１において、例えば、第１部材１Ａを黒色、第２部材１Ｂを白色としてもよい。あるいは、リターン装置１において、第１部材１Ａを白色、第２部材１Ｂを黒色としてもよい。
【００４２】
次に、本実施形態の照明システム５について、図１１を参照して説明する。照明システム５は、リターン装置１と、照明器具６とを有している。照明器具６は、２つの光源ユニット６０と、２つの光源ユニット６０を支持する器具本体６１とを有している。器具本体６１は、上下方向から見た形状が正方形である枠状に形成されている。器具本体６１の縦横の幅は、Ｔバー３の間隔Ｄ１に等しい。つまり、器具本体６１は、４つのＴバー３に囲まれた正方形の孔に挿入され、これら４つのＴバー３の接合部３１及び支持片３２に支持されてＴバー３に取り付けられる。
【００４３】
各光源ユニット６０は、下面が開放された長尺の矩形箱状に形成されているハウジング６２内に複数個の発光ダイオードを内蔵し、ハウジング６２の下面から各発光ダイオードから放射される光を室内に照射するように構成されている。ただし、ハウジング６２の下面は、透光性を有する材料（例えば、アクリル樹脂など）で板状に形成されているカバー６３で閉塞されている。カバー６３の下面には、発光ダイオードから放射される光を拡散するための凹凸が形成されている。
【００４４】
２つの光源ユニット６０は、器具本体６１の下面における両端に配置される。また、器具本体６１の下面における２つ光源ユニット６０の間に反射パネル６４が取り付けられる。ここで、器具本体６１の下面において、２つの光源ユニット６０と反射パネル６４に閉塞されない部分が流入口６５となる。つまり、流入口から器具本体６１内に流入する室内の空気が器具本体６１内を通過して天井裏に排気される。なお、器具本体６１の下面における２つ光源ユニット６０の間には、空調吹出し口や火災感知器、スピーカ、非常用照明装置などの設備が配置される場合もある。
【００４５】
図１１に示すように、照明システム５が有する１つ以上（図示例では２つ）のリターン装置１は、照明器具６を支持している４つのＴバー３のうちの２つのＴバー３に取り付けられる。つまり、照明システム５は、照明器具６と２つのリターン装置１の各々がＴバー３を挟んで隣り合うように配置される。
【００４６】
ただし、照明器具６とリターン装置１の配置は図１１に示す配置に限定されず、図１２Ａ〜図１２Ｉ及び図１３Ａ〜図１３Ｅに示すような様々な配置を採り得る。なお、図１２Ａ〜図１２Ｉ及び図１３Ａ〜図１３Ｅにおいては、照明器具６を網掛けの正方形で表し、リターン装置１を太い実線で表し、天井パネル４を網掛け無しの正方形で表している。また、以下の説明においては、図１２Ａ〜図１２Ｉ及び図１３Ａ〜図１３Ｅの紙面の上を前とし、紙面の下を後とし、紙面の左を左とし、紙面の右を右とする。
【００４７】
図１２Ａ〜図１２Ｉに示す各配置においては、４つの照明器具６が正方形の頂点に相当する位置に設置されている。また、図１２Ａ〜図１２Ｉに示す各配置においては、４つの照明器具６の各々が２つの天井パネル４を間に挟むようにして配置されている。
【００４８】
図１２Ａに示す配置は、図１１に示す照明システム５の配置と共通であり、各照明器具６の前後両隣にリターン装置１が１つずつ配置されている。図１２Ｂに示す配置は、前後方向に隣り合う２つの照明器具６に挟まれている２つの天井パネル４の各々の左右両隣にリターン装置１が１つずつ配置されている。図１２Ｃに示す配置は、左側の２つ照明器具６の各々の後方向に隣り合う各天井パネル４の左右両隣にリターン装置１が１つずつ配置されている。また、図１２Ｃに示す配置は、右側の２つ照明器具６の各々の前方向に隣り合う各天井パネル４の左右両隣にリターン装置１が１つずつ配置されている。図１２Ｄに示す配置は、前側の２つの照明器具６に挟まれている２つの天井パネル４の間と、後側の２つの照明器具６に挟まれている２つの天井パネル４の間とにそれぞれリターン装置１が１つずつ配置されている。また、図１２Ｄに示す配置は、左側の２つの照明器具６に挟まれている２つの天井パネル４の間と、右側の２つの照明器具６に挟まれている２つの天井パネル４の間とにそれぞれリターン装置１が１つずつ配置されている。
【００４９】
図１２Ｅに示す配置は、左側の２つの照明器具６に挟まれた２つの天井パネル４の間と、右側の２つの照明器具６に挟まれた２つの天井パネル４の間とにそれぞれリターン装置１が１つずつ配置されている。また、図１２Ｅに示す配置は、上記２つのリターン装置１と一列に並ぶように２つのリターン装置１が配置されて、合計４つのリターン装置１が左右方向に一列に並ぶように配置されている。
【００５０】
図１２Ｆに示す配置は、前側の２つの照明器具６に挟まれた２つの天井パネル４の間と、後側の２つの照明器具６に挟まれた２つの天井パネル４の間とにそれぞれリターン装置１が１つずつ配置されている。また、図１２Ｆに示す配置は、上記２つのリターン装置１と一列に並ぶように２つのリターン装置１が配置されて、合計４つのリターン装置１が前後方向に一列に並ぶように配置されている。
【００５１】
図１２Ｇに示す配置は、左右方向に隣り合う２つの照明器具６に挟まれている２つの天井パネル４の各々の前後両隣にリターン装置１が１つずつ配置されている。図１２Ｈに示す配置は、４つ照明器具６の各々の後方向に隣り合う各天井パネル４の左右両隣にリターン装置１が１つずつ配置されている。図１２Ｉに示す配置は、左側の２つの照明器具６に挟まれた２つの天井パネル４の各々の右隣と、右側の２つの照明器具６に挟まれた２つの天井パネル４の各々の左隣とにリターン装置１が１つずつ配置されている。また、図１２Ｉに示す配置は、前側の２つの照明器具６に挟まれた２つの天井パネル４の各々の後隣と、後側の２つの照明器具６に挟まれた２つの天井パネル４の各々の前隣とにリターン装置１が１つずつ配置されている。
【００５２】
図１３Ａ〜図１３Ｃに示す各配置においては、４?４の正方形の区画において左前の位置と右後の位置に照明器具６が１つずつ配置されている。図１３Ａに示す配置は、図１２Ａに示す配置において、左後方の照明器具６と右前方の照明器具６を天井パネル４に入れ替えた配置となっている。図１３Ｂに示す配置は、図１３Ａに示す配置において、左後方と右前方に配置されている２つの天井パネル４の各々の前後両隣に１つずつ配置されていたリターン装置１が、各天井パネル４の各々の左右両隣に配置換えされている。図１３Ｃに示す配置は、左後方と右前方に配置されている２つの天井パネル４の各々前後両隣及び左右両隣に１つずつリターン装置１が配置されている。
【００５３】
図１３Ｄに示す配置は、前後方向に一列に並ぶ４つの天井パネル４の各々の左右両隣に１つずつリターン装置１が配置されている。図１３Ｅに示す配置は、左右方向に一列に並ぶ４つの天井パネル４の各々の前後両隣に１つずつリターン装置１が配置されている。
【００５４】
上述のようにリターン装置１は様々に配置することができ、しかも、リターン装置１の配置変更を容易に行うことができる。なお、リターン装置１の配置は、天井面に占める流入口１００の割合が所定値以上となるように決定される。
【００５５】
以上説明したように本発明の第１の態様に係るリターン装置（１）は、システム天井（２）を構成するＴバー（３）に取り付けられ、室内（Ｓ１）の空気を天井裏（Ｓ２）へ導く。第１の態様に係るリターン装置（１）は、Ｔバー（３）が有する支持片（３２）に支持される被支持部（１１）と、システム天井（２）を構成する天井パネル（４）の縁（周縁部４０）が載置される載置部（１２）とを備える。第１の態様に係るリターン装置（１）は、被支持部（１１）及び載置部（１２）を支持する本体部（１０）を備える。本体部（１０）は、本体部（１０）において室内（Ｓ１）に露出する部位に開口する流入口（１００）と、本体部（１０）において天井裏（Ｓ２）に露出する部位に開口する流出口（１０１）と、流入口（１００）と流出口（１０１）を繋ぐ流路（１０２）とを有する。
【００５６】
第１の態様に係るリターン装置（１）は、Ｔバー（３）に取り付けられた状態でＴバー（３）と天井パネル（４）との間に流入口（１００）と流路（１０２）と流出口（１０１）とを配置させる。その結果、第１の態様に係るリターン装置（１）は、設置場所の自由度の向上を図ることが可能となる。
【００５７】
本発明の第２の態様に係るリターン装置（１）は、第１の態様との組み合わせにより実現され得る。第２の態様に係るリターン装置（１）は、システム天井（２）を構成するＴバー（３）に係合する係合部（１３）を備えることが好ましい。
【００５８】
第２の態様に係るリターン装置（１）は、係合部（１３）を備えることによってＴバー（３）に対する取付強度の向上を図ることができる。
【００５９】
本発明の第３の態様に係るリターン装置（１）は、第１又は第２の態様のいずれかとの組み合わせにより実現され得る。第３の態様に係るリターン装置（１）において、本体部（１０）は、流路（１０２）を挟んで対向する一対の側板（第１側板１４）と、流路（１０２）を挟んで流入口（１００）と対向する天板（１５）とを有することが好ましい。
【００６０】
第３の態様に係るリターン装置（１）は、室内（Ｓ１）から本体部（１０）の流入口（１００）及び流出口（１０１）を通して天井裏（Ｓ２）を目視され難くすることができる。
【００６１】
本発明の第４の態様に係るリターン装置（１）は、第３の態様との組み合わせにより実現され得る。第４の態様に係るリターン装置（１）において、本体部（１０）は、一対の側板に相当する一対の第１側板（１４）と、流路（１０２）を挟んで対向する一対の第２側板（１６）とを有することが好ましい。一対の第２側板（１６）は、一対の第１側板（１４）が対向する方向と交差する方向に沿って対向することが好ましい。
【００６２】
第４の態様に係るリターン装置（１）は、本体部（１０）が一対の第２側板（１６）を有することにより、室内（Ｓ１）から本体部（１０）の流入口（１００）及び流出口（１０１）を通して天井裏（Ｓ２）を更に目視され難くすることができる。
【００６３】
本発明の第５の態様に係るリターン装置（１）は、第１〜第４の態様のうちのいずれか１つとの組み合わせにより実現され得る。第５の態様に係るリターン装置（１）において、本体部（１０）は、流出口（１０１）をＴバー（３）よりも上に配置させていることが好ましい。
【００６４】
第５の態様に係るリターン装置（１）は、流出口（１０１）がＴバー（３）よりも上に配置されることにより、流入口（１００）及び流出口（１０１）を通して天井裏（Ｓ２）を更に目視され難くすることができる。
【００６５】
本発明の第６の態様に係るリターン装置（１）は、第１〜第５の態様のうちのいずれか１つとの組み合わせにより実現され得る。第６の態様に係るリターン装置（１）において、流出口（１０１）の開口面積が流入口（１００）の開口面積以上であることが好ましい。
【００６６】
第６の態様に係るリターン装置（１）は、流出口（１０１）の開口面積が流入口（１００）の開口面積未満である場合に比べて、流路（１０２）の抵抗を減らして室内（Ｓ１）の空気をスムーズに天井裏（Ｓ２）に排気させることができる。
【００６７】
本発明の第７の態様に係るリターン装置（１）は、第１〜第６の態様のいずれか１つとの組み合わせにより実現され得る。第６の態様に係るリターン装置（１）において、載置部（１２）は、天井パネル（４）の厚み方向に沿って天井パネル（４）の縁（周縁部４０）の下面に接触することが好ましい。天井パネル（４）の厚み方向において載置部（１２）が天井パネル（４）の縁（周縁部４０）と接触する位置は、天井パネル（４）の厚み方向において被支持部（１１）がＴバー（３）の支持片（３２）に接触する位置に等しいことが好ましい。
【００６８】
第７の態様に係るリターン装置（１）は、本体部（１０）を介してＴバー（３）に支持される天井パネル（４）のがたつきを抑えることができる。
【００６９】
本発明の第８の態様に係るシステム天井（２）は、複数のＴバー（３）と、複数のＴバー（３）に支持される複数の天井パネル（４）と、第１〜第７の態様のいずれか１つの態様に係るリターン装置（１）とを有する。
【００７０】
第８の態様に係るシステム天井（２）は、リターン装置（１）の設置場所の自由度の向上を図ることが可能となる。
【００７１】
本発明の第９の態様に係る照明システム（５）は、システム天井（２）を構成する複数のＴバー（３）に支持される照明器具（６）と、第１〜第７の態様のいずれか１つの態様に係るリターン装置（１）とを有する。
【００７２】
第９の態様に係る照明システム（５）は、リターン装置（１）の設置場所の自由度の向上を図ることが可能となる。
【符号の説明】
【００７３】
１  リターン装置
２  システム天井
３  Ｔバー
４  天井パネル
５  照明システム
６  照明器具
１０  本体部
１１  被支持部
１２  載置部
１３  係合部
１４  第１側板（側板）
１５  天板
１６  第２側板
３２  支持片
４０  周縁部（天井パネルの縁）
１００  流入口
１０１  流出口
１０２  流路
Ｓ１  室内
Ｓ２  天井裏
【図１】
2019070459.tif 000003
【図２】
2019070459.tif 000004
【図３】
2019070459.tif 000005
【図４】
2019070459.tif 000006
【図５】
2019070459.tif 000007
【図６】
2019070459.tif 000008
【図７】
2019070459.tif 000009
【図８】
2019070459.tif 000010
【図９】
2019070459.tif 000011
【図１０】
2019070459.tif 000012
【図１１】
2019070459.tif 000013
【図１２】
2019070459.tif 000014
【図１３】
2019070459.tif 000015